(57)【要約】【課題】ディスプレイを術者及び患者の近傍に配設して該ディスプレイの表示を術者及び患者が同時に観察可能とするとともに、該ディスプレイの機能の実行を術者が治療椅子に座った状態で可能とした歯科治療ユニットを提供する。【解決手段】ディスプレイ９と該ディスプレイを機能させるマウス１０と、該マウス１０の操作を可能とする平面領域Ｓを有するワークテーブルとを有する。前記ワークテーブルは下段ワークテーブル２Lと該下段ワークテーブル２Lの上部に移動可能に配設された上段ワークテーブル２Uとから成り、該上段ワークテーブル２Uを移動した時に、前記下段ワークテーブル２Lの平面領域Ｓで前記マウス１０の操作を可能とした。【選択図】図１
2008142445.tif 000002
【特許請求の範囲】
【請求項１】
ディスプレイと該ディスプレイを機能させるマウスと、該マウスの操作を可能とする平面領域を有するワークテーブルとを有する歯科治療ユニットであって、前記ワークテーブルは下段ワークテーブルと該下段ワークテーブルの上部に移動可能に配設された上段ワークテーブルとから成り、該上段ワークテーブルを移動した時に、前記下段ワークテーブルの平面領域で前記マウスの操作を可能とした歯科治療ユニット。
【請求項２】
前記下段ワークテーブルには、前記ディスプレイを機能させるキーボードを有し、前記上段ワークテーブルを移動した時に、該キーボードの操作を可能としたことを特徴とする請求項１に記載の歯科治療ユニット。
【請求項３】
前記下段ワークテーブルに前記キーボードの上部を開閉自在に覆う開閉板を有し、該開閉板を開いて前記キーボードの上部を開放した時の該開閉板の面にてマウス操作を可能としたことを特徴とする請求項２に記載の歯科治療ユニット。
【発明の詳細な説明】
【技術分野】
【０００１】
本発明は、歯科治療ユニット、より詳細には、患者の治療履歴等を表示可能なディスプレイを備えるとともに、該ディスプレイを機能させるマウス及び／又はキーボード等を具備する歯科治療ユニットにおいて、前記マウスを操作する平面を効果的に確保し、更には、前記キーボードを操作可能に効果的に収納した歯科治療ユニットに関する。
【背景技術】
【０００２】
図３は、本発明が適用されるワークテーブルを有する歯科治療ユニットの一例を説明するための全体構成図で、該歯科治療ユニットは、歯科治療椅子１、ワークテーブル２、該ワークテーブル２を支持するアーム３、スピットン４、無影灯５、インスツルメントホルダー６、インスツルメント７、フットスイッチ８、ディスプレイ（モニター）９等からなり、インスツルメントホルダー６には、歯科治療において使用する種々のインスツルメント７が収納されており、周知のように、歯科治療に当り、患者は椅子１に座り、頭を安頭台に固定して治療を受ける。治療中、術者は治療椅子１を上下動、倒起動、傾斜動等させて、患者を治療しやすい姿勢にして治療を行う。
【０００３】
ディスプレイ（モニター）９は、歯科治療中の歯牙の状況、歯科治療に必要なデータ（例えば、患者の治療経過）、更には、患者の個人データ等を表示するものであり、歯科治療に当り、術者は、ディスプレイ９の表示を見ながら、更には、患者にも見せながら、病状を説明し、更には、治療方法を説明しながら治療を行うようにしている。
【特許文献１】特開２００１−３１４４２９号公報
【発明の開示】
【発明が解決しようとする課題】
【０００４】
而して、上記ディスプレイ９を機能させるには、周知のように、マウス、キーボード等を必要とするが、ディスプレイ９の近傍に、マウスを操作するための平面領域を確保することが困難であり、更には、キーボードを操作可能に配設するスペースを得ることが困難であり、所期の目的を効果的に達成することができなかった。
【０００５】
本発明は、上述のごとき課題を解決するためになされたもので、ディスプレイを術者及び患者の近傍に配設して該ディスプレイの表示を術者及び患者が同時に観察可能とするとともに、該ディスプレイの機能の実行を術者が治療椅子に座った状態で可能とした歯科治療ユニットを提供することを目的としてなされたものである。
【課題を解決するための手段】
【０００６】
請求項１の発明は、ディスプレイと該ディスプレイを機能させるマウスと、該マウスの操作を可能とする平面領域を有するワークテーブルとを有する歯科治療ユニットであって、前記ワークテーブルは下段ワークテーブルと該下段ワークテーブルの上部に移動可能に配設された上段ワークテーブルとから成り、該上段ワークテーブルを移動した時に、前記下段ワークテーブルの平面領域で前記マウスの操作を可能とした歯科治療ユニットである。
【０００７】
請求項２の発明は、請求項１の発明において、前記下段ワークテーブルには、前記ディスプレイを機能させるキーボードを有し、前記上段ワークテーブルを移動した時に、該キーボードの操作を可能としたことを特徴としたものである。
【０００８】
請求項３の発明は、請求項２の発明において、前記下段ワークテーブルに前記キーボードの上部を開閉自在に覆う開閉板を有し、該開閉板を開いて前記キーボードの上部を開放した時の該開閉板の面にてマウス操作を可能としたことを特徴としたものである。
【発明の効果】
【０００９】
ワークテーブルを下段ワークテーブルと該下段ワークテーブルの上部に移動可能に配設された上段ワークテーブルとにより構成し、該上段ワークテーブルを移動した時に、前記下段ワークテーブルの平面領域でマウスの操作を可能としたので、ディスプレイを機能させるためのマウスを操作するための平面領域を効果的に確保することができ、更には、ディスプレイを機能させるためのキーボードを操作可能状態に収納するためのスペースを効果的に確保することができる。
【発明を実施するための最良の形態】
【００１０】
図１は、本発明を実施するのに好適なワークテーブルの例を示す図で、該ワークテーブルは、図２に示した従来のワークテーブルと同様の機能を達成するものであるが、本発明によるワークテーブルは、更に、ディスプレイを機能させるためのマウスを操作するための平面領域を効果的に確保することができ、更には、ディスプレイを機能させるためのキーボードを操作可能状態に収納するためのスペースを効果的に確保できるようにしたものである。
【００１１】
図１に示すように、本発明のワークテーブルは、下段のワークテーブル２Lと上段のワークテーブル２Uとから成り、上段のワークテーブル２Uは、下段のワークテーブル２Lに対して移動可能（例えば、回動可能）に取り付けられており、移動（回動）した時に、下段のワークテーブル２Lの表面全体を覆い、或いは、全体を露呈し、或いは、一部を覆い一部を露呈するようになっている。
【００１２】
上述のように、本発明においては、ワークテーブルを上下２段に構成するとともに、上段のワークテーブルを移動可能とし、移動した時に、下段のワークテーブルの表面が露呈するようにしたので、この露呈した下段のワークテーブルの表面（平面）を利用してマウス１０を操作することができる。また、マウスを使用しない時であっても、上段のワークテーブル２Uを移動させて下段のワークテーブル２Lの表面を露呈するようにすると、この下段のワークテーブル２Lの上にも歯科治療に必要な機材を載置することができ、より広いテーブル面を確保することができる。
【００１３】
更に、ディスプレイ９には、キーボードによっても、その機能を実行することができるが、従来の歯科治療ユニットにおいては、このキーボードを載置するスペースがなく、具体的には、例えば、特開２００１−３１４４２９号公報に示すように、ディスプレイとキーボードを歯科治療ユニットとは別体（スタンドアロン）にかつ移動可能に構成し、必要に応じて、これら一体のディスプレイ及びキーボードを移動させて使用するようにしている。
【００１４】
本発明においては、上述のように、ワークテーブルを上下２段に構成し、下段のワークテーブル２Lに平面領域Ｓを確保しているので、この平面領域Ｓにキーボードを載置することもでき、そのようにすると、その都度、キーボードを持ち運びして移動させなければならず不便である。
【００１５】
図２は、本発明の他の実施例を説明するための図で、この実施例は、図示のように、下段のワークテーブル２Lにキーボード２０を収納し、該キーボード２０をキーを上面にして該下段のワークテーブル２Lに収納しておけば、上段ワークテーブル２Uを移動して下段のワークテーブル２Lを露呈させれば、即、キーボード２０のキー面が現われ、そのままキー操作をすることが可能となる。キーボード２０を使用しない時は、上段のワークテーブル２Uによって該キーボード２０の上方を覆うようにすれば、該キーボード２０が歯科治療の邪魔になるようなことはない。
【００１６】
上述のようにして、下段のワークテーブル内にキーボードを収納した場合、その分、マウスを操作する面が減少し、マウスを効果的に操作することが困難になる場合がある。そのような場合を想定して、下段のワークテーブル２Lに、該キーボード２０の上部を含む面を覆う開閉板３０を設けておき、常時は、該開閉板３０を閉じて該開閉板３０によってキーボードの上部を覆い、キーボード２０を操作する時は、該開閉板３０を開いてキーボード２０の操作を可能にするとともに、開いた開閉板３０の面を用いてマウス１０を操作することができ、マウスを効果的に操作することができる。また、開閉板３０によってキーボード２０の上部を覆っておくことによって、該キーボード２０を汚れ，破損等から防止することができる。
【図面の簡単な説明】
【００１７】
【図１】本発明による歯科用ワークテーブルの一実施例を説明するための構成図である。
【図２】ワークテーブルにキーボードを収納可能とした実施例を説明するための図である。
【図３】本発明によるワークテーブルが適用される歯科治療ユニットの一例を説明するための全体構成図である。
【符号の説明】
【００１８】
１…歯科治療椅子、２…ワークテーブル、２L…下段ワークテーブル、２U…上段ワークテーブル、３…アーム、４…スピットン、５…無影灯、６…インスツルメントホルダー、７…インスツルメント、８…フットスイッチ、９…ディスプレイ（モニター）、１０…マウス、２０…キーボード、３０…開閉板。
【図１】
2008142445.tif 000003
【図２】
2008142445.tif 000004
【図３】
2008142445.tif 000005